(57)【特許請求の範囲】
【請求項１】
郵便物の投入口と該投入口から投入される郵便物を受入れる郵便物の受入室と該受入室に備えられる開口部とを備えた郵便受け箱本体と、この郵便受け箱本体における前記開口部に備えられる取出し口構成体とを有し、
この取出し口構成体が一対の案内枠材と、互いに向き合って備えられた該案内枠材間に亙って備えられた一対の連結枠材とを有する枠状体と、この枠状体に備えられる塞ぎ板によって該枠状体内に構成される取出し口を開閉するように前記案内枠材のガイド部に両側縁部を案内されて該枠状体内に移動可能に備えられる蓋体とを備えており、
この取出し口構成体が前記郵便受け箱本体に取り外し可能に組み付けられて前記取出し口を前記蓋体で塞いだ状態で前記開口部を塞ぐようにしてあると共に、
前記取出し口構成体を前記郵便受け箱本体に止め付ける止め付け手段の少なくとも一部が、前記受入室の側から該取出し口構成体を該郵便受け箱本体に止め付ける止め付け手段としてあり、
しかも、前記取出し口を開閉する前記蓋体を、当該取出し口を閉じ込み状態に維持するように施錠可能としてあることを特徴とする郵便受け箱。
【請求項２】
前記取出し口構成体が、前記枠状体における一方の連結枠材の側に前記取出し口を構成するように前記案内枠材間に亙って塞ぎ板を備えていると共に、この取出し口を開閉する前記蓋体を該塞ぎ板の背面側に前記夫々の案内枠材のガイド部に両側縁部を案内させて送り込み移動可能に備えていることを特徴とする請求項１に記載の郵便受け箱。
【請求項３】
前記郵便受け箱本体における開口部が、該開口部における互いに向き合った一対の開口部縁に沿った向きに互いに向き合うようにガイドレールを備えていると共に、前記取出し口構成体の前記枠状体の外側に該ガイドレールに案内されて該開口部に該取出し口構成体を組付ける案内手段が備えられていることを特徴とする請求項１又は請求項２に記載の郵便受け箱。
【請求項４】
前記ガイドレールが前記開口部の内方にあって該開口部の縦方向にある両側縁に沿った向きに備えられていると共に、前記郵便受け箱本体の底面側から前記取出し口構成体を該ガイドレールに組付け得るようにしてあることを特徴とする請求項３に記載の郵便受け箱。
【請求項５】
前記郵便受け箱本体が郵便物の受入室を有する受け箱部と、先端側に投入口を有すると共に該受入室に連通する投入路を備えるように該受け箱部の上部側から前方に向けて一体に突設された投入路部とを備えており、この郵便受け箱本体が取付け対象構造体の一方の面側に前記投入路部の下方にある前記受け箱部の面を向き合わせ且つ前記投入路部を該投入路部の先端側が該取付け対象構造体の他方の面側に露出するように該取付け対象構造体に備えられていることを特徴とする請求項１、請求項２、請求項３又は請求項４に記載の郵便受け箱。
【発明の詳細な説明】
【０００１】
【発明の属する技術分野】
この発明は、開閉される蓋体を備えた取出し口を有する郵便受け箱の容易な製作と該取出し口部分の容易な取替えを可能とした郵便受け箱の提供に関する。
【０００２】
【従来の技術】
受入室に投入された郵便物を取り出す取出し口にスライド蓋を設けた各種の郵便受け箱が支持台上に設置され、あるいは、ブロック塀などの各種の構造体に組付けられて用いられている。
【０００３】
かかるスライド蓋を備えた郵便受け箱は、ヒンジによって開閉される開閉扉と異なり郵便受け箱の設置周辺部に郵便物の取出し操作のための空間を比較的必要とすることがなく、また、この郵便物の取出し口における雨水などの侵入を防止した郵便受け箱を比較的容易に構成することができる。
かかるスライド蓋を備えた郵便受け箱は、典型的には、郵便物の投入口と該投入口から投入される郵便物を受け入れる受入室と該受入室内にある郵便物を取り出す取出し口を備えるように各構成部材を組付けて投入路部や受け箱部を構成し、この受け箱部の一部に構成した開口部分に互いに溝面を向き合わせて一対の溝材を組付けると共に、この開口部に組付けられた溝材間に裏板などを張り込み状態に組付けてスライド蓋の受け入れ隙間などを構成し、この各溝材間に板状の蓋材を移動可能に嵌め入れると共に、この各溝材の夫々の側端に板材などを組付けて該溝材に嵌め入れられた前記スライド蓋が該溝材の案内溝から抜け出さないように構成していた。
【０００４】
【発明が解決しようとする課題】
しかしながら、郵便受け箱の構成において、開口部縁に沿って互いに溝面を向き合わせるように溝材などを組付けてスライド蓋の案内手段を構成し、この開口部縁に備えられた各溝材間にスライド蓋を移動可能に嵌め入れると共に当該取出し口を構成する他の各部材を組付けることによって郵便物の取出し口を構成するようにした従来の郵便受け箱にあっては、このスライド蓋の備えられる取出し口の構成に多くの作業手間を要するにも拘わらず、雨水の侵入を効果的に防止し、しかも、円滑にスライド蓋が摺動され得るように、前記溝材を前記開口部縁に所定の間隔で、しかも、平行に備えることに難があった。
【０００５】
また、かかる従来の郵便受け箱では、この郵便受け箱の内部が破損した場合や内部に汚れを生じた場合に、この郵便受け箱における郵便物の取出し口から該取出し口のスライド蓋を開くようにして手を差入れて当該破損部分を修復し、あるいは汚れを取り除くように処理する必要があった。
【０００６】
また、この郵便物の取出し口に備えられるスライド蓋や、このスライド蓋の摺動案内手段としての溝材などが破損して取出し口の円滑な開閉に支障をきたし、あるいは、取出し口を効果的に閉じ込むことができなくなった場合などの修復に難があり、この種の障害の発生に際して郵便受け箱自体を取り替えることが必要とされた。
【０００７】
また、かかる郵便受け箱がブロック塀や、玄関口の壁などに組付けられている状態で、前記のように郵便物の取出し口部分に不具合を生じた場合、その修復が特に難しく、修復のために多くの作業手間を要するなどの難があった。
【０００８】
この発明は、かかる従来の郵便受け箱における不具合を解消し、均一な品質を備えると共に、備えつけた状態で容易にメンテナンスができ、しかも、取出し口の破損などに際して該取出し口を構成する取出し口構成体を容易に取り替え得るようにした郵便受け箱の容易な製作、提供を目的としている。
【０００９】
【課題を解決するための手段】
請求項１に記載の発明では、前記目的を達成するために、郵便物の投入口と該投入口から投入される郵便物を受入れる郵便物の受入室と該受入室に備えられる開口部とを備えた郵便受け箱本体と、この郵便受け箱本体における前記開口部に備えられる取出し口構成体とを有し、
この取出し口構成体が一対の案内枠材と、互いに向き合って備えられた該案内枠材間に亙って備えられた一対の連結枠材とを有する枠状体と、この枠状体に備えられる塞ぎ板によって該枠状体内に構成される取出し口を開閉するように前記案内枠材のガイド部に両側縁部を案内されて該枠状体内に移動可能に備えられる蓋体とを備えており、
この取出し口構成体が前記郵便受け箱本体に取り外し可能に組み付けられて前記取出し口を前記蓋体で塞いだ状態で前記開口部を塞ぐようにしてあると共に、
前記取出し口構成体を前記郵便受け箱本体に止め付ける止め付け手段の少なくとも一部が、前記受入室の側から該取出し口構成体を該郵便受け箱本体に止め付ける止め付け手段としてあり、
しかも、前記取出し口を開閉する前記蓋体を、当該取出し口を閉じ込み状態に維持するように施錠可能としてあることを特徴とする郵便受け箱としてある。
【００１０】
このように構成される郵便受け箱にあっては、この郵便受け箱における郵便物の取出し口を郵便受け箱本体に該郵便受け箱本体と別段に構成される取出し口構成体の組付けによって構成してあり、規格化されて円滑に摺動される蓋体を備えた郵便受け箱を容易に製作することができる。
【００１１】
また、備えつけ用いられている郵便受け箱から前記取出し口構成体を取り外して、この郵便受け箱の内部の補修、清掃を容易に、且つ確実になすことができる。
【００１２】
また、備えつけ用いられている郵便受け箱における取出し口部が破損あるいは汚れた際に、この郵便受け箱を備えつけたままの状態で前記取出し口構成体を新規の取出し口構成体に取り替えて該郵便受け箱の補修をなすことができる。
【００１４】
また、このように構成される郵便受け箱にあっては、この郵便受け箱本体に組付けられる取出し口構成体の取り外しが、受入室側からの止め付け手段による止め付けの解除を要し、前記取出し口を閉じた状態に前記蓋体を施錠状態とすることによって、前記郵便受け箱本体に備えられる前記取出し口構成体の取り外しを防止することができる。
【００１５】
また、請求項２に記載の発明では、前記の目的を達成するために、前記請求項１に記載の発明において、前記取出し口構成体が、前記枠状体における一方の連結枠材の側に前記取出し口を構成するように前記案内枠材間に亙って塞ぎ板を備えていると共に、この取出し口を開閉する前記蓋体を該塞ぎ板の背面側に前記夫々の案内枠材のガイド部に両側縁部を案内させて送り込み移動可能に備えていることを特徴とする郵便受け箱としてある。
【００１６】
このように構成される郵便受け箱にあっては、前記特長に併せて、前記取出し口に備えられる蓋体が該蓋体の備えられている取出し口構成体に備えられた塞ぎ板の背面側に安定に送り込み移動されて該取出し口を開き出すことができる。
【００１７】
また、請求項３に記載の発明では、前記の目的を達成するために、前記請求項１又は請求項２に記載の発明において、前記郵便受け箱本体における開口部が、該開口部における互いに向き合った一対の開口部縁に沿った向きに互いに向き合うようにガイドレールを備えていると共に、前記取出し口構成体の前記枠状体の外側に該ガイドレールに案内されて該開口部に該取出し口構成体を組付ける案内手段が備えられていることを特徴とする郵便受け箱としてある。
【００１８】
このように構成される郵便受け箱にあっては、前記特長に併せて、前記郵便受け箱本体に備えられているガイドレールに前記取出し口構成体の案内手段を案内させるようにして該取出し口構成体を前記郵便受け箱本体に容易に且つ確実に組付けることができる。
【００１９】
また、請求項４に記載の発明では、前記の目的を達成するために、前記請求項３に記載の発明において、前記ガイドレールが前記開口部の内方にあって該開口部の縦方向にある両側縁に沿った向きに備えられていると共に、前記郵便受け箱本体の底面側から前記取出し口構成体を該ガイドレールに組付け得るようにしてあることを特徴とする郵便受け箱としてある。
【００２０】
このように構成される郵便受け箱にあっては、前記特長に併せて、前記郵便受け箱本体に対して該郵便受け箱本体の下方側から前記取出し口構成体を該取出し口構成体の案内手段を前記開口部の内方にあるガイドレールに案内させるように組み入れて該開口部の内方位置に該取出し口構成体を容易に且つ確実に組付けることができる。
【００２１】
また、請求項５に記載の発明では、前記の目的を達成するために、前記請求項１、請求項２、請求項３又は請求項４に記載の発明において、前記郵便受け箱本体が郵便物の受入室を有する受け箱部と、先端側に投入口を有すると共に該受入室に連通する投入路を備えるように該受け箱部の上部側から前方に向けて一体に突設された投入路部とを備えており、この郵便受け箱本体が取付け対象構造体の一方の面側に前記投入路部の下方にある前記受け箱部の面を向き合わせ且つ前記投入路部を該投入路部の先端側が該取付け対象構造体の他方の面側に露出するように該取付け対象構造体に備えられていることを特徴とする郵便受け箱としてある。
【００２２】
このように構成される郵便受け箱にあっては、前記特長に併せて、ブロック塀や玄関口の壁などの取り付け対象構造体に前記郵便受け箱本体を備えつけたままの状態で、この郵便受け箱本体から取出し口構成体を取り外して、該郵便受け箱本体の内部を補修、清掃することができ、また、破損あるいは汚損された取出し口構成体を取り替えることができる。
【００２３】
【発明の実施の形態】
以下、本発明にかかる典型的な実施の形態にかかる郵便受け箱Ａについて詳細に説明する。
【００２４】
図１〜図２４は、この典型的な実施の形態に係る郵便受け箱Ａを示すものであって、図１は、この郵便受け箱Ａを取付け対象構造体Ｂに備え付けた状態を断面の状態で示しており、図２は、この郵便受け箱Ａの要部の縦方向の断面を一部を省略して、図３は、蓋体４５を閉じた状態とした当該郵便受け箱Ａの要部の縦方向の断面を、図４は同様に蓋体４５を開いた状態とした当該郵便受け箱Ａの要部の縦方向の断面を、図５は、この蓋体４５を上方に引き上げた状態における当該郵便受け箱Ａの要部の平断面を示している。
図６は取出し口構成体Ａ”を備えた郵便受け箱Ａを取付け対象構造体Ｂに備えた状態を、図７は、この取付け対象構造体Ｂに備えられている郵便受け箱Ａから取出し口構成体Ａ”を引き出した状態を夫々斜め下方から見て示している。
図８は、当該郵便受け箱Ａを構成する郵便受け箱本体Ａ’の要部を一部省略して平断面の状態で示しており、図９は、この郵便受け箱本体Ａ’を下面側から見て、図１０は、郵便受け箱本体Ａ’に取出し口構成体Ａ”を嵌め入れた状態を下面側から見て、更に図１２は、これに下座８８を備えた状態を下面側から見て夫々示している。
図１２は、取出し口構成体Ａ”を斜め下方から見て、図１３は、これを一部破断して正面側から見て、図１４は、この取出し口構成体Ａ”の一部を省略した縦方向の断面として夫々示してある。
図１５は、蓋体４５を閉じた状態とした取出し口構成体Ａ”の一部を省略した平断面を、図１６は、この取出し口構成体Ａ”を下部側で断面して上方を見た一部省略の断面を示している。
図１７は、上部連結枠材４２’を上方から見て示している。また、図１８は、弾持具８３の組み付け状態を部品を分離した状態で斜め上方から見て示している。
図１９は、案内枠材４１と蓋体４５の要部を拡大断面の状態で示している。
図２０〜図２４は、下座８８を示したものであって、図２０は上面から見た状態を、図２１は下面から見た状態を、図２２は正面側から見た状態を、図２３は背面側から見た状態を、図２４は縦方向で断面した状態を夫々示している。
【００２５】
この実施の形態に係る郵便受け箱Ａは、郵便物の投入口Ｖと該投入口Ｖから投入される郵便物を受入れる郵便物の受入室Ｗと該受入室Ｗに備えられる開口部Ｙとを備えた郵便受け箱本体Ａ’と、この郵便受け箱本体Ａ’における前記開口部Ｙに備えられる取出し口構成体Ａ”とを有し、この取出し口構成体Ａ”が一対の案内枠材４１、４１と、互いに向き合って備えられた該案内枠材４１、４１間に亙って備えられた一対の連結枠材４２、４２とを有する枠状体４０と、この枠状体４０に備えられる塞ぎ板４３によって該枠状体４０内に構成される取出し口Ｘを開閉するように前記案内枠材４１のガイド部４４に両側縁部４５ａを案内されて該枠状体４０内に移動可能に備えられる蓋体４５とを備えており、この取出し口構成体Ａ”が前記郵便受け箱本体Ａ’に取り外し可能に組み付けられて前記取出し口Ｘを前記蓋体４５で塞いだ状態で前記開口部Ｙを塞ぐように構成してある。
【００２６】
かかる典型的な実施の形態にかかる郵便受け箱Ａを構成する郵便受け箱本体Ａ’は、郵便物の投入口Ｖと該投入口Ｖから投入される郵便物を受入れる郵便物の受入室Ｗと該受入室Ｗに備えられる開口部Ｙとを備えた構成としてある。
また、更に、他の典型的な実施の形態にかかる郵便受け箱本体Ａ’は、郵便物の受入室Ｗを有する受け箱部１０と、先端側に投入口Ｖを有すると共に該受入室Ｗに連通する投入路Ｚを備えるように該受け箱部１０の上部側から前方に向けて一体に突設された投入路部１１とを備えた構成としてあり、取付け対象構造体Ｂの一方の面Ｂａ側に前記投入路部１１の下方にある前記受け箱部１０の面を向き合わせた状態で、前記投入路部１１を該投入路部１１の先端側を該取付け対象構造体Ｂの他方の面Ｂｂ側に露出するように該取付け対象構造体Ｂに組付け用いるように構成してある。
【００２７】
かかる図示例の郵便受け箱本体Ａ’は、一連に連続するように備えられている前記受け箱部１０と投入路部１１の側面を構成する一連に連続した一対の側板１２、１２と、この向き合って備えられている一対の側板１２、１２の上端縁間を塞ぐ上面板１３と、前記投入路部１１を構成する側板１２の各下端縁間を塞ぐ投入路下面板１４と、この投入路下面板１４に連続して前記受け箱部１０を構成する前記側板１２における前端縁間を塞ぐ前板１５と、この前板１５に連続して前記受け箱部１０を構成する前記側板１２の各下端縁間を塞ぐように備えられている底板１６とを備えて前記受け箱部１０と投入路部１１とを構成してあると共に、前記前板１５の反対側にある前記側板１２端縁から互いに近付く向きに屈曲されて該受け箱部１０の後面を構成する屈曲部１７と前記底板１６における前板１５の反対側にある端部と前記上面板１３における前記投入口Ｖの反対側にある垂設部１８との間に前記開口部Ｙを構成するようにしてある。
【００２８】
かかる構成からなる郵便受け箱本体Ａ’は、更に具体的には、前記投入路部１１の内側が前記受け箱部１０の受入室Ｗに連通する投入路Ｚとされており、この投入路部１１の先端に該受入室Ｗに郵便物を投入する投入口Ｖが備えられた構成としてあり、この投入路Ｚの投入口Ｖ側にねじりバネ１９によって常時当該投入路Ｚの投入口Ｖを塞ぐように弾発付勢された開閉自在な口蓋２０を備えた口金２１が設けてある。
【００２９】
また、この口金２１の内側から前記受入室Ｗに向けて前記投入路下面板１４に添うように案内板２２が該投入口Ｖからの郵便物が前記受入室Ｗに容易に案内されるように設けてある。更に、この案内板２２は、前記前板１５の内側に添って前記底板１６に到るように延びた構成としてあり、郵便物が安全且つ確実に該受入室Ｗに案内されるように構成してある。
【００３０】
また、前記底板１６は内側に内側底板１６’を備えた二重底構造としてあり、外側底板１６”に水抜き孔２３を設けると共に、この水抜き孔２３を構成する該外側底板１６”の打抜き片２４上に間隔を開けて前記内側底板１６’を設けるように構成してある。
【００３１】
また、前記側板１２は、前記前板１５と反対の側にある該側板１２の上下方向を向いた夫々の側端部１２ａを、この底板１６の後端縁１６ａから更に後方に向けて突き出す構成としてあり、更に該側端部１２ａを一旦互いに近付く側に向けて直角に屈曲させて前記底板１６の後端縁１６ａに平行な後面板部１７ａとし、この後面板部１７ａ端から更に直角に前記底板１６の後端縁１６ａに近付く向きに屈曲した開口面板部１７ｂとして、該受け箱部１０の後面を構成する屈曲部１７を構成するようにしてある。
【００３２】
また、この屈曲部１７の内側には、前記屈曲部１７の開口面板部１７ｂ端から直角に前記側板１２に向けて屈曲されて前記底板１６の後端縁１６ａに平行に備えられる外側支持板部２５ａと、この外側支持板部２５ａ端から直角に前記底板１６の後端縁１６ａに近付く向きに屈曲されて前記側板１２に平行に備えられる側面支持板部２５ｂと、この側面支持板部２５ｂ端から互いに近付く向きに直角に屈曲されて前記外側支持板部２５ａ及び前記底板１６の後端縁１６ａに平行で且つ該後端縁１６ａに所定の間隔を離して備えられる内側支持板部２５ｃとを備えたガイドレール２５が設けられている。
【００３３】
なお、この内側支持板部２５ｃは、前記側面支持板部２５ｂの下端よりも、その下端縁が上方に位置されるように構成してある。即ち、この内側支持板部２５ｃは前記側面支持板部２５ｂに連続する下端部分を取り除いた状態とされており、ガイドレール２５に沿って押し込まれる取出し口構成体Ａ”の下部連結枠材４２”の仕切り板部６９が該内側支持板部２５ｃの下端に突き当たって該取出し口構成体Ａ”の郵便受け箱本体Ａ’に対する組付けの妨げとならない構成としてあり、更に具体的には、郵便受け箱本体Ａ’内に前記取出し口構成体Ａ”を該取出し口構成体Ａ”の下部連結枠材４２”の下面が前記底板１６と面一となる位置に到るまで該該下部連結枠材４２”の仕切り板部６９上に前記内側支持板部２５ｃの下端が接することなく差し入れ得る構成としてある。
【００３４】
なお、前記側板１２は、その下端部分を前記底板１６の後端縁１６ａから突き出す側端部１２ａを含めて前記底板１６の下面側に折返す折返し部２６としてあり、前記屈曲部１７を構成する後面板部１７ａ及び開口面板部１７ｂの夫々の下端部分を前記折返し部２６と同一の面に位置付けられるように折返して折返し片部２７、２８とし、この各折返し片部２６、２７、２８の先端間と前記外側支持板部２５ａ及び側面支持板部２５ｂの外面との間に、前記内側支持板部２５ｃと前記底板１６の後端縁１６ａとの間に構成される取出し口構成体Ａ”の組付け隙間２９’に連通する隙間２９”を設け、取出し口構成体Ａ”の組付け隙間２９を構成するようにしてある。  かかる隙間２９は、この隙間２９内に前記ガイドレール２５を案内として前記取出し口構成体Ａ”を差し入れ得ると共に、この隙間２９に差し入れた該取出し口構成体Ａ”の連結枠材４２が前記支持板部３０に都合よく接し得る形態を備えたものとして構成される。
【００３５】
また、この底板１６における後端縁１６ａには、該底板１６の後端縁１６ａから直角に屈曲して起立する支持板部３０が設けてあり、この支持板部３０には前記隙間２９から前記郵便受け箱本体Ａ’内に組み込まれた前記取出し口構成体Ａ”を当該郵便受け箱本体Ａ’に前記受入室Ｗの側から止め付ける止め付け手段８９の一例として示されるタッピングスクリューの挿通される孔３０ａが設けてある。
【００３６】
また、前記上面板１３は、その後端側１３ａを前記屈曲部１７を構成する後面板部１７ａの面に添って下方に屈曲して延設される垂設部１８としてあり、この垂設部１８は使用時に角縁によって被傷することのないように前記上面板１３から一旦後方の下向きに傾斜させた傾斜部１８ａとして構成した後、前記屈曲部１７の前記後面板部１７ａに密着して垂直に延設された垂設部１８ｂを備えた構成としてある。
【００３７】
また、雨天時の雨仕舞いを良くするために前記後面板部１７ａ、１７ａ間にある該垂設部１８の下端から前記受入室Ｗの内方に向けてやや斜上するように屈曲した開口上面板部１８ｃが設けられており、この開口上面板部１８ｃは、その両側縁を前記開口面板部１７ｂに夫々接するようにして、その先端部を該開口面板部１７ｂよりもやや内側に突き出すよう備えられていると共に、その先端部から垂直方向に屈曲した起立板部１８ｄと該起立板部１８ｄの上端から直角に受入室Ｗ側に屈曲した支持板部１８ｅと該支持板部１８ｅの先端から直角に下方に屈曲した垂設板部１８ｆとを有する溝状受け部１８ｇを備えた構成としてある。
【００３８】
このように構成される垂設部１８における開口上面板部１８ｃと前記夫々の後面板部１７ａに連続する開口面板部１７ｂと前記底板１６における支持板部３０との間に前記取出し口構成体Ａ”の組付けられる開口部Ｙを構成してある。
【００３９】
かかる構成からなる郵便受け箱本体Ａ’は、典型的には、これに取出し口構成体Ａ”を備えつけた状態でブロック塀や玄関口の壁などの取付け対象構造体Ｂに備えつけられて郵便受け箱Ａとして用いられる。
また、典型的には、当該郵便受け箱本体Ａ’に取出し口構成体Ａ”を備えつけた状態で各種の支持台（図示省略）などに取りつけられて郵便受け箱Ａとして用いられる。
【００４０】
次いで前記郵便受け箱本体Ａ’における開口部Ｙに備えられる取出し口構成体Ａ”は、典型的には、一対の案内枠材４１、４１と、互いに向き合って備えられた該案内枠材４１、４１間に亙って備えられた一対の連結枠材４２、４２とを有する枠状体４０と、この枠状体４０に備えられる塞ぎ板４３によって該枠状体４０内に構成される取出し口Ｘを開閉するように前記案内枠材４１のガイド部４４に両側縁部４５ａを案内されて該枠状体４０内に移動可能に備えられる蓋体４５とを備えた構成としてあり、しかも、この取出し口構成体Ａ”が該郵便受け箱本体Ａ’に取り外し可能に組付けられて、前記取出し口Ｘを前記蓋体４５によって閉じた状態で前記郵便受け箱本体Ａ’の前記開口部Ｙを塞ぐように構成してある。
【００４１】
また、この取出し口構成体Ａ”は、更に具体的には、前記枠状体４０における一方の連結枠材４２の側に前記取出し口Ｘを構成するように前記案内枠材４１、４１間に亙って塞ぎ板４３を備えていると共に、この取出し口Ｘを開閉する前記蓋体４５を該塞ぎ板４３の背面側に前記夫々の案内枠材４１のガイド部４４に両側縁部４５ａを案内させて送り込み移動可能に備えている構成としてある。
【００４２】
かかる取出し口構成体Ａ”を構成する前記枠状体４０は、互いに向き合って備えられる一対の案内枠材４１、４１と、この一対の案内枠材４１、４１相互間に亙って備えられる一対の連結枠材４２、４２とを備えて構成されるものであって、典型的には、前記向き合って備えられる一対の各案内枠材４１、４１における互いに向き合っている夫々の側端部４１ａ、４１ａ間に亙って夫々連結枠材４２，４２を組みつけて構成される四角形状をなす枠状体４０としてある。
【００４３】
この枠状体４０を構成する案内枠材４１は、該案内枠材４１を備えて構成される取出し口構成対Ａ”を郵便受け箱本体Ａ’に組み付ける際に、前記郵便受け箱本体Ａ’に構成される開口部Ｙの両側縁の内側にあって、この開口部Ｙの開口縁に沿った向きに位置付けられるものであって、この図示例にあっては、該開口部Ｙにおける縦方向にある両側縁に沿った向きに位置付けられる構成としてある。
【００４４】
この案内枠材４１は各種の枠材、典型的にはアルミ押出し形材などの形材を用いて構成してあり、この図示例にあっては、板状をなす中間板部４６の一方端に該中間板部４６端から直角に屈曲して備えられた内側側板部４７を、また他方端に該中間板部４６に直交するように連接された外側側板部４８を、更に、この中間板部４６における内側側板部４７と外側側板部４８との間にある該中間板部４６から直角に突き出すように備えられた仕切り板部４９とを夫々平行に備えており、しかも、この仕切り板部４９に平行な短寸状の補助仕切り板部５０を該仕切り板部４９と前記外側側板部４８との間にある前記中間板部４６から直角に突き出すように備えており、更に、この中間板部４６における該補助仕切り板部５０の突き出し側と反対の側に、この補助仕切り板部５０の延長線上に延びるように外側突き出し板部５１を該中間板部４６から一体に且つ該中間板部４６に直交するように備えており、この外側突き出し板部５１よりも前記内側側板部４７の側にある前記中間板部４６から該外側突き出し板部５１と略同一の向きに突き出すと共に前記外側突き出し板部５１と反対の側に屈曲されて前記中間板部４６に平行に延設された補助板部５２を備えており、前記外側側板部４８の一方側端と内側側板部４７の側端と仕切り板部４９の側端とが略同一の仮想の線上に位置し、しかも、該外側側板部４８の他方端と前記外側突き出し板部５１の側端と前記補助板部５２における前記中間板部４６に平行な板部部分とが略同一の仮想の線上に位置しており、更に、この補助板部５２の先端と前記内側側板部４７の板面とが略同一の仮想の線上に位置されており、この案内枠材４１の断面形状が下部連結枠材４２”に対する組み付けに適するように仮想の四角形状内に収まる構成としてある。
【００４５】
なお、前記外側側板部４８は、その夫々の先端部分から直角に外方に突き出す短寸状の鍔部４８ａを屈曲状態に備えており、また、前記補助板部５２の内側と、この補助板部５２に向き合う中間板部４６の面との間が溝状部５３としてあり、この溝状部５３に互いに向き合って突き出す中間部突き出し突起５３ａと、また、この補助板部５２の先端と該補助板部５２に向き合う中間板部４６の側端とに互いに向きあって突き出す出口側突起５３ｂを設けてあり、前記中間部突き出し突起５３ａから内奥側が略断面円形状をなす構成としてある。
なお、この外側側板部４８における前記鍔部４８ａは、前記下部連結枠材４２”に嵌め入れられる前記案内枠材４１の下端側部分にある当該鍔部４８ａが取り除かれており、この鍔部４８ａを有しない外側側板部４８の面が該下部連結枠材４２”の内側の面に直接接して組み付けられ、この案内枠材４１における該鍔部４８ａと該案内枠材４１の組み付けられる下部連結枠材４２”の外面とが面一の状態になるように構成してある。
【００４６】
また、前記内側側板部４７に向き合っている前記仕切り板部４９の面から直角に該内側側板部４７に向けてガイド板部５４が突き出し状態に設けてあり、このガイド板部５４と前記中間板部４６との間が該仕切り板部４９の一部を溝底とする第２ガイド溝５６としてある。
また、この仕切り板部４９の先端に前記ガイド板部５４に平行な補助板部５７が該仕切り板部４９から直角に屈曲して設けてあり、しかも、この補助板部５７と前記ガイド板部５４の先端を夫々互いに近付く向きに屈曲した案内突片部５８、５８としてあり、この各案内突片部５８、５８を備えた仕切り板部４９と前記内側側板部４７との間を前記中間板部４６を溝底とする第１ガイド溝５５としてあり、この第１ガイド溝５５と第２ガイド溝５６とによって蓋体４５の両側縁部４５ａを案内するガイド部４４を構成するようにしてある。
【００４７】
また、前記郵便受け箱本体Ａ’におけるガイドレール２５を構成する前記外側支持板部２５ａと側面支持板部２５ｂと内側支持板部２５ｃとに案内される案内手段５９を前記の鍔部４８ａを備えた前記外側側板部４８と前記外側突き出し板部５１とによって構成してある。
即ち、前記ガイドレール２５を構成する外側支持板部２５ａの面に前記外側側板部４８における鍔部４８ａの先端を接しさせると共に、この外側支持板部２５ａに向き合っている前記内側支持板部２５ｃの面に前記外側突き出し板部５１における該外側側板部４８と反対の側にある面を接しさ、しかも、この外側支持板部２５ａと内側支持板部２５ｃとの間にある側面支持板部２５ｂの面に前記鍔部４８ａと前記外側突き出し板部５１の先端とを接しさせて前記ガイドレール２５に案内される前記枠状体４０の該案内枠材４１における案内手段５９として構成してある。
【００４８】
また、前記外側側板部４８と前記補助仕切り板部５０との間を前記中間板部４６を溝底とする嵌め合い溝部６０として構成してあり、この嵌め合い溝部６０に前記塞ぎ板４３の側縁部を納め入れると共に、この嵌め合い溝部６０に収め入れられた塞ぎ板４３の溝方向に向けた移動を阻止する突片６０ａを該嵌め合い溝部６０の溝底を構成する前記中間板部４６の打ち抜き片として該嵌め合い溝部６０内に突き出すように構成してあり、この各突片６０ａを前記塞ぎ板４３の側縁部に設けられている凹欠４３ａ内に入れ込んで該凹欠４３ａに該突片６０ａが係合されるように構成してある。
【００４９】
次いで前記一対の案内枠材４１と共に枠状体４０を構成する連結枠材４２は、前記各案内枠材４１相互間に亙って組付けられて該案内枠材４１と共に前記開口部Ｙに備え付けられる取出し口構成体Ａ”を構成するものとして用意される。
【００５０】
かかる連結枠材４２は、典型的には、前記の向き合って備えられる案内枠材４１の向き合っている夫々の側端部４１ａ間、この図示例にあっては、夫々の上端部間に亙って該案内枠材４１相互を連結するように備えられている上部連結枠材４２’と、該案内枠材４１の下端部間に亙って該案内枠材４１相互を連結するように備えられている下部連結枠材４２”によって構成してあり、この各連結枠材４２と前記案内枠材４１とによって直角四辺形状の枠状体４０を構成してある。
【００５１】
この連結枠材４２の一方である上部連結枠材４２’は、上板部６１と、この上板部６１の長さ方向の一側縁から下方に直角に屈曲して備えられた内側板部６２と、前記上板部６１の他方側縁の両側端からやや内寄りにある該縁部から下方に直角に屈曲して備えられる外側板部６３とを備えており、前記上板部６１を溝底とする溝状部６４を備えた構成としてある。
【００５２】
かかる上部連結枠材４２’は、前記溝状部６４内に互いに向き合って備えられている前記一対の案内枠材４１間に組付けられた内側塞ぎ板６５とこの内側塞ぎ板６５の組付けられた夫々の内側側板部４７と仕切り板部４９の夫々の上端部を受け入れるように、前記内側塞ぎ板６５面に前記内側板部６２の溝内側の面を接しさせ、また、前記外側板部６３の両側端部を夫々前記仕切り板部４９と補助仕切り板部５０との間に差し入れるようにして該外側板部６３の溝内側の面を該仕切り板部４９面に接しさせると共に、前記補助板部５２の上面を覆うように延設されている該延設板部６１ａに設けられている孔６１ｂからタッピングスクリュー６６を前記中間部突出し突起５３ａより内奥側にある溝状部５３の側端からねじ入れて該上部連結枠材４２’と案内枠材４１とを組付けてあり、前記外側突出し部５１と該補助板部５２との間に前記内側支持板部２５ｃを受け入れ得るように構成してある。
【００５３】
次いで、前記の向き合って備えられている一対の案内枠材４１、４１の側端部４１ａ、４１ａ間、この図示例にあっては夫々の下端部間を連結するように該案内枠材４１間にタッピングスクリュー７８で止着備えられる下部連結枠材４２”は、向き合って備えられる外側側板部６７及び内側側板部６８とこの外側側板部６７及び内側側板部６８間に亙って該外側側板部６７及び内側側板部６８に直角に備えられる仕切り板部６９とを備えた構成としてあり、該仕切り板部６９から上方側が該仕切り板部６９を溝底として構成される前記案内枠材４１の嵌め入れ組付けられる上側溝状部７０とされており、該仕切り板部６９から下方側が該仕切り板部６９を溝底とする下側溝状部７１とされている。
【００５４】
また、この上側溝状部７０を構成する外側側板部６７の上端縁には、この上端縁の両側部を除いた該上端縁部分に、前記上側溝状部７０に嵌め入れ状態に組付けられる前記案内枠材４１が前記ガイドレール２５の外側支持板部２５ａと内側支持板部２５ｃ間に支持されるように組付けられた際に、前記開口面板部１７ｂに側端を沿わせるように該開口面板部１７ｂ、１７ｂ間に突き出される開口縁鍔７２が前記内側側板部６８と反対方向に突き出すように直角に屈曲して設けてある。
また、この開口縁鍔７２の下方にある前記外側側板部６７にスリット７３が設けてあり、前記仕切り板部６９の上面にリベット７４で止着された鍵受け板７５の鍵受け板部７５ａを該スリット７３から外方に突き出すように設けてある。この下部連結枠材４２”に備えられる鍵受け板７５は前記仕切り板部６９に密着する板部７５ｂと該板部７５ｂの一端側から直角に前記外側側板部６７に沿って起立する板部７５ｃと該板部７５ｃの上端から直角に屈曲して前記スリット７３を介して外方に突き出す鍵受け板部７５ａとを備えた構成としてあり、この鍵受け板部７５ａに南京錠などの鍵杆（図時省略）の挿通孔７５ｄを備えた構成としてある。
【００５５】
また、前記内側側板部６８の上端縁には、前記上側溝状部７０側に突き出す凸部６８ａが設けてあり、この上側溝状部７０に組み込まれる前記案内枠材４１の内側側板部４７と補助板部５２端とが接する構成としてある。
このように構成される下部連結枠材４２”は、この下部連結枠材４２”の両端部の上側溝状部７０内に前記案内枠材４１の下端部分を受け入れた状態で、前記仕切り板部６９の孔７７からタッピングスクリュー７８を該案内枠材４１の中間突出し突起５３ａの内奥側にある溝状部５３にねじ入れて該案内枠材４１に一体となるように止着してある。
【００５６】
また、前記内側側板部６８は、その仕切り板部６９よりも下方にある当該内側側板部６８に前記支持板部３０に設けられている孔３０ａに対応して前記止め付け手段８９として用いられるタッピングスクリューのねじ入れ止め付けられる螺入孔９０が設けられており、また、該内側側板部６８の下端部には、該下端から直角に屈曲して前記下側溝状部７１側に突き出す突出し突縁６８ａが前記郵便受け箱本体Ａ’の隅部の下面に備えられる下座８８の組付け手段として設けてあり、また、外側側板部６７の下端部には、該下端から直角に屈曲して前記下側溝状部７１側に突き出す突出し突板部７６が設けてあり、この突板部７６に前記下座８８をトラスタッピングスクリュー８８で止め付ける孔７６ａを設けた構成としてある。
【００５７】
なお、この下部連結枠材４２”の仕切り板部６９には、前記上側溝状部７０に入り込んだ雨水などを下方に案内する穴７９を、前記案内枠材４１の組付け部に設けてあり、この穴７９の下方に下座８８を位置させて、該穴７９が直接外方に開口されないように構成してある。
【００５８】
かかる一対の案内枠材４１、４１と一対の連結枠材４２、４２とによって構成される四角形状の枠状体４０に対して前記蓋体４５によって開閉される取出し口Ｘを構成するように塞ぎ板４３を備え付けてある。
この枠状体４０に取出し口Ｘを構成する塞ぎ板４３は、前記枠状体４０の一部を覆うように備えられる構成としてあり、典型的には、前記枠状体４０の一方の側を覆うように備えられて、この塞ぎ板４３によって塞がれていない該枠状体４０の他方の側に前記蓋体４５によって開閉される取出し口Ｘを構成するようにしてある。
【００５９】
かかる塞ぎ板４３は、更に典型的には、前記蓋体４５の備えつけ位置よりも外側に備え付けられて、開き出される前記蓋体４５の受け入れ部を構成するようにしてあり、プラスチック板などの平板状材、例えば、透明なポリカーボネイト板などによって構成してある。かかる塞ぎ板４３は、典型的には、その両端縁部に設けた切欠４３ａ内に前記夫々の案内枠材４１における外側側板部４８と補助仕切り板部５０との間の嵌め合い溝部６０内に設けられている突片６０ａを係合させるようにして該夫々の溝部６０内に該塞ぎ板４３の夫々の側端部を嵌め入れて組付けてある。
【００６０】
また、この案内枠材４１、４１間に備えられる塞ぎ板４３は、その下端縁部における該案内枠材４１、４１間にある部分に補強縁材８０を備えた構成、より具体的には、この塞ぎ板４３を備えて構成される取出し口構成体Ａ”が前記郵便受け箱本体Ａ’の開口部Ｙに組付けられた際に、この開口部Ｙにおける向き合った開口面板部１７ｂ、１７ｂ間に該補強縁材８０が突き出すように備えられる構成としてある。
【００６１】
この塞ぎ板４３に備えられる補強縁材８０は、各種の長尺材、典型的には、アルミ押出し形材によって構成されているものであって、この塞ぎ板４３の下端を収め入れる溝状部８０ａを内側の下端に有し、この溝状部８０ａ内に該塞ぎ板４３の下端を嵌め入れた状態で該塞ぎ板４３の下端部の外側面に添装状態でリベット８１で該塞ぎ板４３に止め付けてある。
【００６２】
この図示例に係る塞ぎ板４３は、前記枠状体４０における上端部側を除く上部側を塞いで該枠状体４０の下部側を取出し口Ｘとして構成するように前記案内枠材４１、４１に該塞ぎ板４３を備えた構成としてあり、この互いに向き合って備えられる一対の案内枠材４１、４１間に備えられる前記塞ぎ板４３は、前記取出し口構成体Ａ”を前記郵便受け箱本体Ａ’に組付けた際に、その上端部が前記開口部Ｙに備えられている支持板部１８ｅを溝底とするように前記起立板部１８ｄと垂設板部１８ｆとの間に構成されている前記溝状受け部１８ｇ内に差入れられる構成としてある。
【００６３】
また、前記枠状体４０における前記塞ぎ板４３の備えられる側と反対の側に内側塞ぎ板６５を備えた構成としてあり、この内側塞ぎ板６５は前記受入室Ｖ内にある郵便物が前記蓋体４５の引き上げ時に該蓋体４５の上端に引っ掛かって該蓋体４５と前記塞ぎ板４３との間に挟み込まれる不都合を回避するものであって、前記蓋板４５によって前記取出し口Ｘを閉じている状態で該内塞ぎ板６５と前記塞ぎ板４３との間に該蓋体４５の上端側が入り込んだ構成としてあると共に、前記塞ぎ板４３との間に該蓋体４５の納め入れに都合の良い隙間を構成するのに都合の良い形態のものとして構成してある。
【００６４】
かかる内側塞ぎ板６５は、前記塞ぎ板４３で覆った前記枠状体４０部分において該塞ぎ板４３に向き合うように備えられる各種の板状材によって構成されるものであって、典型的にはプラスチック板、例えば、透明なポリカーボネイト板を前記対をなす案内枠材４１，４１の上部側の全体を覆うように前記内側側板部４７と補助板部５２先端とに添装した状態で該内側塞ぎ板６５から前記中間板部４６と補助板部５２との間に構成される溝状部５３にタッピングスクリュー８２をねじ入れて止め付けた構成としてある。
【００６５】
かかる構成からなる枠状体４０の取出し口Ｘを開閉するように該枠状体４０に備えられている蓋体４５は、典型的には各種の板状材によって構成されるものであって、この蓋体４５の両側縁部４５ａを前記案内枠材４１のガイド部４４に案内させて該枠状体４０内を前記取出し口Ｘを開閉するように移動可能に備えられている。
【００６６】
かかる蓋体４５は、更に典型的には、プラスチック板、例えば、透明なポリカーボネイト板からなる蓋体４５の側縁部４５ａを前記の互いに向き合って備えられている案内枠材４１における前記中間板部４６を溝底として前記仕切り板部４９に備えられたガイド板部５４及び補助板部５７の夫々の案内突片部５８、５８と前記内側側板部４７との間に構成される第１ガイド溝５５に入れ込まれた状態で該枠状体４０に移動可能に備えられていると共に、この蓋体４５に備えられている複合バネ材などの弾持具８３を前記案内枠材４１における前記仕切り板部４９を溝底として前記中間板部４６とガイド板部５４との間に構成される第２ガイド溝５６内に移動可能に納め入れた構成としてある。
【００６７】
この蓋体４５に備えられる弾持具８３は、この蓋体４５の両側縁部４５ａの縦方向に向けて備えられているものであって、この図示例にあっては該蓋体４５の両側縁部４５ａの縦方向における上部側と下部側とに互いに向き合うように、該蓋体４５の側縁部４５ａに組付け状態に備えられている。
かかる弾持具８３は、この弾持具８３における取付け基部８３ａの一部を該蓋体４５の側端から外方に突き出される突当て部８３ａ’として有し、しかも、該蓋体４５の一方の面側から該取付け基部８３ａに連続されている摺接凸部８３ａ”を突き出させた状態で該蓋体４５の他方の面に沿って上下方向に延びる一対の弾性片８３ｂを有する構成としてあり、前記突当て部８３ａ’を前記第１ガイド溝５５の溝底である前記中間板部４６に向き合わせると共に、前記摺接凸部８３ａ”を該第１ガイド溝５５の溝壁である内側側板部４７の面に、前記弾性片８３ｂの先端部にある摺接凸部８３ｃを前記第２ガイド溝５６の溝底である前記仕切り板部４９の面に夫々弾発状態に接触させて組付けてある。
このように前記第２ガイド溝５６に前記弾性片８３ｂの接触凸部８３ｃを案内される弾持具８３の組付けられた前記蓋体４５は、前記ガイド部４４によって上下方向に移動可能とされ、しかも、該弾持具８３の弾発力によって移動の停止された位置に停止状態を維持するように保持される。
【００６８】
このように構成してあることから、前記蓋体４５は、この蓋体４５の解放処理に際して、この上方に移動された蓋体４５を当該引き上げ位置に維持するように他方の手などによって保持する必要がなく、その引き上げた位置で手を離して郵便物の出し入れが可能とされ、当該郵便物を片手操作によって郵便受け箱Ａから取出し且つ該蓋体４５を再度閉じた状態にすることができる。
また、雨天時などにおいて、取出し郵便物の取出し大きさに合わせた大きさに取出し口Ｘを開き状態として当該郵便物を濡らすことなく取り出すことができる。
【００６９】
また、この案内枠材４１、４１間に備えられる蓋体４５は、その上端縁部と下端縁部における該案内枠材４１、４１間にある部分に上部補強縁材８４と下部補強縁材８５とを夫々備えた構成、より具体的には、この蓋体４５を備えて構成される取出し口構成体Ａ”が前記郵便受け箱本体Ａ’の開口部Ｙに組付けられた際に、この開口部Ｙにおける向き合った開口面板部１７ｂ、１７ｂ間に該上部補強縁材８４と下部補強縁材８５とが突き出すように備えられる構成としてある。
この蓋体４５に備えられる上部補強縁材８４と下部補強縁材８５は、各種の長尺材、典型的には、アルミ押出し形材によって構成されているものであって、この下部補強縁材８５を前記蓋体４５の下端部を収め入れる溝状部８５ａを内側の下端側に備えた構成とし、また前記上部補強縁材８４を前記蓋体４５の上端部上に突き出す突出し突縁８４ａを上端側に備えた構成としてあり、この下部補強縁材８５の前記溝状部８５ａ内に前記蓋体４５の下端部を嵌め入れると共に上部補強縁材８４の突出し突縁８４ａを該蓋体４５の上端に引っ掛け状態として該蓋体４５の外側面に夫々前記下部補強縁材８５と上部補強縁材８４とを添装状態にして夫々リベット８６によって該蓋体４５に止め付けてある。
【００７０】
なお、前記下部補強縁材８５は該下部補強縁材８５から外側に向けて板状をなす把手部８５ｂを突き出し状態に該下部補強縁材８５の略全幅に亙って一体に備えた構成としてあり、この下部補強縁材８５に備えられる把手部８５ｂは前記下部連結枠材４２”に備えられている前記鍵受け板７５の鍵受け板部７５ａ上に延びる比較的幅拡の板状把手部７５ｂ’としてあり、この鍵受け板部７５ａ上にある該板状把手部８５ｂ’の面に前記挿通孔７５ｄに挿通される南京錠などの鍵杆を挿通する挿通孔８５ｂ”が設けてあり、これによって前記取出し口Ｘを閉じ込み状態とした前記蓋体４５を当該閉じ込み状態に施錠可能としてあり、しかも、その先端側をやや下方に傾くように設けて該部における雨水を外側に案内するようにしてある。
また、この把手部８５ｂの下面側には、前記取出し口Ｘを該蓋体４５が閉じた際に前記下部連結枠材４２”の開口縁鍔７２に当接される突条片８５ｃが設けてあり外部からの雨水の侵入を防止できる構成としてある。
なお、前記構成の板状把手部７５ｂ’は前記下部補強縁材８５の略全幅に亙って備えられていることから、この板状把手部７５ｂ’による蓋体４５の開閉操作が容易とされ、急いでいる場合や暗闇などであっても当該蓋体４５の開閉操作を確実になすことができる。
【００７１】
なお、この枠状体４０に備えられる蓋体４５は、この蓋体４５を前記取出し口Ｘを閉じた状態に当該枠状体４０内に納めた際に、この蓋体４５における前記下部補強縁材８５を備えた下端側を前記下部連結枠材４２”の上側溝状部７０内に収め入れ状態とし、しかも、前記上部補強縁材８４を備えた該蓋体４５の上部側を前記塞ぎ板４３における補強材縁材８０を備えた下端縁よりも上方に位置する状態となる雨仕舞いに都合の良い形態に構成されており、しかも、前記枠状体４０には上方に向けて前記取出し口Ｘを解放するように移動される前記蓋体４５の受け入れ空間が備えられた構成としてある。
【００７２】
かかる構成からなる取出し口構成体Ａ”は、前記一対の案内枠材４１、４１を互いのガイド部４４を向き合わせるように用意し、この向き合って備えられる各案内枠材４１、４１間に前記蓋体４５と塞ぎ板４３並びに内側塞ぎ板６５を備えつけて構成する。
【００７３】
即ち、前記補強縁材８０の備えられた前記塞ぎ板４３を該補強縁材８０を前記外側側板部４８の側にして前記案内枠材４１における突片６０ａを該塞ぎ板４３の凹欠４３ａに係合させるように該塞ぎ板４３の両側部を前記嵌め合い溝部６０内に納め入れて該塞ぎ板４３を前記案内枠材４１の上端側と下部側間にある上部側部分に備えさせて該案内枠材４１の下方側に取出し口Ｘを構成する案内枠材４１間空間を構成し、また、この塞ぎ板４３の備えられる側と反対側の前記案内枠材４１の上端側を含む上部側を塞ぐように内側塞ぎ板６５を該案内枠材４１内側側板部４７及び補助板部５２端部に密着させてタッピングスクリュー８２を前記溝状部５３にねじ入れて止着する。
【００７４】
また、前記上部補強縁材８４及び下部補強縁材８５の備え付けられた前記蓋体４５に前記弾持具８３を組付けた状態で、この上部補強縁材８４及び下部補強縁材８５の備え付け側を前記外側側板部４８の側に向けて、この弾持具８３を備えた蓋体４５の両側縁部４５ａを前記案内枠材４１、４１のガイド部４４である前記第１ガイド溝５５及び第２ガイド溝５６内に該案内枠材４１の下方側から差し入れる。
【００７５】
このように塞ぎ板４３、内側塞ぎ板６５及び蓋体４５の備えられた前記案内枠材４１、４１の上端間に前記上部連結枠材４２’を、この上部連結枠材４２’における内側板部６２を前記内側塞ぎ板６５の面に接するように前記溝状部６４内に該内側塞ぎ板６２と案内枠材４１の前記内側側板部４７及び仕切り板部４９とを納め入れて、この仕切り板部４９の側方にある前記外側側板部４８との間の上端を塞がないで前記第１ガイド溝５５の上端側を塞いだ状態で該上部連結枠材４２’の孔６１ｂからタッピングスクリュー６６を前記中間部突き出し突起５３ａの内奥側にある溝状部５３にねじ入れ固定して前記案内枠材４１の外側面に前記ガイドレール２５に案内される外側側板部４８及び外側突き出し板部５１を備えた案内手段５９を構成する。
【００７６】
次いで、前記各案内枠材４１及び上部連結枠材４２’と共に枠状体４０を構成する下部連結枠材４２”を該案内枠材４１の下部を該下部連結枠材４２”の上側溝状部７０内に受け入れるように該案内枠材４１の下端側に組付け、この下部連結枠材４２”の仕切り板部６９の孔７７から前記案内枠材４１の前記中間突出し突起５３ａの内奥側にある溝状部５３にタッピングスクリュー７８をねじ入れて該下部連結枠材４２”を前記案内枠材４１、４１に連結して取出し口構成体Ａ”を構成する。
なお、この案内枠材４１に組付けられる下部連結枠材４２”は、前記鍔部４８ａの取り除かれた該案内枠材４１の外側側板部４８を外側側板部６７の内側に向き合って受け入れると共に内側側板部４７を同様に内側側板部６８の内側に向き合って受け入れた状態で組付けられる構成としてあり、この状態で前記タッピングスクリュー７８によって前記案内枠材４１に組み付けられて取出し口構成体Ａ”を構成している。
【００７７】
このように構成された取出し口構成体Ａ”を、別段に構成用意されている前記郵便受け箱本体Ａ’に取り外し可能に組付ける。
この郵便受け箱本体Ａ’に対する取出し口構成体Ａ”の組付けは、前記取出し口構成体Ａ”を、その上部側、即ち、上部連結枠材４２’の備えられている側を先にして、前記開口部Ｙにある隙間２９に対して該取出し口構成体Ａ”における内側塞ぎ板６５の備えられている側を該隙間２９における前記底板１６の後端縁１６ａに起立している支持板部３０の側に向けて差し入れ、この取出し口構成体Ａ”に備えられている前記案内手段５９を構成する外側突き出し板部５１及び外側側板部４８を該開口部Ｙの開口縁に沿った内側に備えられている前記ガイドレール２５に差し入れ、このガイドレール２５における下端部をカットされている前記内側支持板部２５ｃの下端が該取出し口構成体Ａ”における下部連結枠材４２”の仕切り板部６９の面に近接し、しかも、この取出し口構成体Ａ”の下面が前記底板１６と略面一の状態とされるまで該取出し口構成体Ａ”を郵便受け箱本体Ａ’内に押し入れると共に、該取出し口構成体Ａ”における塞ぎ板４３の上端が前記垂設部１８の溝状受け部１８ｇ内に収まり、同時に、該取出し口構成体Ａ”における前記内側側板部６８が前記支持板部３０の面に密着するようになし、この状態において該支持板部３０の側、即ち、前記郵便受け箱本体Ａ’における受入室Ｗの側から適宜の止め付け手段８９、例えば、トラスタッピングスクリューを前記孔３０ａから螺入孔９０にねじ入れて該取出し口構成体Ａ”を郵便受け箱本体Ａ’に止め付ける。
【００７８】
かくして取出し口構成体Ａ”を受け入れ状態に組み付けた郵便受け箱本体Ａ’の下面隅部における該取出し口構成体Ａ”の下端側部面と前記屈曲部１７の下面にある各折り返し部２６、２７、２８などを覆うように下座８８を組み付ける。
【００７９】
この郵便受け箱本体Ａ’に組み付け用いられる下座８８は、当該郵便受け箱本体Ａ’の下面隅部において適宜の緩衝並びに補強効果を郵便受け箱Ａにもたらし得るものであれば、いかなる素材によって構成してあってもよく、またいかなる形態に構成してあってもよい。かかる下座８８は、典型的には、型成形される素材、例えば各種のプラスチック材によって成形提供されるものを用いることができる。
【００８０】
図示例にかかる下座は、かかるプラスチック成形によって構成されたものであって、前記屈曲部１７の下面よりもやや大きな面積を有する略四角形の盤状体に構成されていると共に、一つの隅部を挟む二辺と該一方の辺に連続して前記外側支持板部２５ａに到るまでの前記開口面板部１７ｂに沿った辺部分から起立される立上り縁板部８８ａを有すると共に、前記取出し口構成体Ａ”に接する部分がやや隆起した接触部８８ｂとされており、この接触部８８ｂに下端側が拡径孔８８ｆ’とされたトラスタッピングスクリュー８７の挿通孔８８ｆが貫設してあり、また前記立上り縁板部８８ａを有する辺によって挟まれた辺にある立上り縁板部８８ａから立上り縁板部８８ａを備えていない辺側に向けて突き出し状態に係合突片８８ｄを設けてあり、また、前記立上り縁板部８８ａを有しない辺に沿った位置から起立されて上端側から外方に突き出す係合凸部８８ｃ’を備えるように構成された係合片８８ｃを備えた構成としてある。なお、８８ｅは前記係合突片８８ｄを成形するための型抜き穴であり、水抜きとして機能する。
【００８１】
かかる構成からなる下座８８における前記係合片８８ｃの係合凸部８８ｃ’と前記接触部８８ｂ面との間に前記内側側板部６８の突出し突縁６８ｂを納め入れると共に、前記係合突片８８ｄを前記後面板部１７ａに設けたスリット９１に納め入れて該下座８８における前記各立上り縁板部８８ａを側端部１２ａ、後面板部１７ａ、開口面板部１７ｂに夫々当接させて、前記挿通孔８８ｆから挿通したタッピングスクリュー８７を前記突き出し突板部７６の孔７６ａにねじ入れて該下座８８を郵便受け箱本体Ａ’の下面隅部に組み付けて郵便受け箱Ａを構成する。
このように構成される郵便受け箱Ａは、前記蓋体４５を開閉自在に用いることができると共に、該蓋体４５を前記取出し口Ｘを閉じた状態にして該蓋体４５の挿通孔８５ｂ”と前記鍵受け板部７５ａの挿通孔７５ｄとに南京錠などの錠の鍵杆を挿通して該蓋体４５を前記鍵受け板部７５ａにロックさせて用いることができる。
【００８２】
このように構成される郵便受け箱Ａは、当該郵便受け箱Ａの構成に際して、確実な作動構造を備えるように構成用意された取出し口構成体Ａ”を別段に用意し、この別段に構成用意される取出し口構成体Ａ”を郵便受け箱本体Ａ’に組み付けることによって均一な品質を備えた郵便受け箱Ａを容易に製作提供することが可能とされた。
【００８３】
また、郵便受け箱本体Ａ’に組み付けられる取出し口構成体Ａ”を前記受入室Ｗ側からの止め付け手段８９で止め付けることによって、前記蓋体４５の前記把手部８５ｂを鍵受け板７５に南京錠などを用いて該蓋体４５をロック状態とした場合、当該取出し口構成体Ａ”の郵便受け箱本体Ａ’からの取り外しを防止することができる。
【００８４】
次いで、かくして構成された郵便受け箱Ａをブロック塀や、玄関口の壁などの取付け対象構造体Ｂに取付け用いる。
かかる郵便受け箱Ａの備えられる取付け対象構造体Ｂは、この郵便受け箱Ａを備え付け用い得るものであればいかなる構造体であっても良く、図示例は最も典型的な取付け対象構造体Ｂとしてブッロク塀に当該郵便受け箱Ａを備え付けた状態を示している。
【００８５】
このブロック塀にあっては、各ブロック９３を適宜モルタル９４を介在させながら積み込み、所定の高さとしたところで、隙間調整具９２を受け箱部１０の前面側に備えた前記郵便受け箱Ａを、この隙間調整具９２を該取付け対象構造体Ｂの面Ｂａに接しさせると共に、該郵便受け箱Ａにおける投入路部１１の先端側が該取付け対象構造体Ｂの他方の面Ｂｂの側に突き出すように該投入路部１１を前記の積み込みブロック９３上にモルタル９４を敷き込んで載せかけ、更に、この投入路部１１部を該取付け対象構造体Ｂに固定するようにモルタル９４を介してブロック９３を所定高さまで積み上げて郵便受け箱Ａを取付け対象構造体Ｂに備えつける。
なお、前記隙間調整具９２は、前記郵便受け箱Ａを安定に取付け対象構造体Ｂに組み付け得るものであれば、いかなる素材、構成からなるものであってもよく、この図示例では、ステンレス板などの板材を折り曲げ構成した枠状体９２ａにプラスチックフォーム材などの緩衝材９２ｂを積層状態に設けて構成した隙間調整具９２が用いられている。
【００８６】
このように取付け対象構造体Ｂに備えられた郵便受け箱Ａは、この郵便受け箱Ａ内が汚れ、あるいは内部に不具合が生じた際に、この備え付け状態にある郵便受け箱Ａから前記取出し口構成体Ａ”を取り外して、この備え付け状態にある郵便受け箱Ａの内部の清掃、補修をなすことができる。
【００８７】
また、取付け対象構造体Ｂに備え付けられている郵便受け箱Ａを当該取付け対象構造体Ｂから取り外すことなく、比較的破損あるいは汚損され易い郵便物の取出し部分の修繕を、当該破損あるいは汚損された取出し口構成体Ａ”部分のみの取り替えによってなすことができる。
【００８８】
【発明の効果】
この発明に係る郵便受け箱は、郵便物の投入口と該投入口から投入される郵便物を受入れる郵便物の受入室と該受入室に備えられる開口部とを備えた郵便受け箱本体と、この郵便受け箱本体における前記開口部に備えられる取出し口構成体とを有し、この取出し口構成体が一対の案内枠材と、互いに向き合って備えられた該案内枠材間に亙って備えられた一対の連結枠材とを有する枠状体と、この枠状体に備えられる塞ぎ板によって該枠状体内に構成される取出し口を開閉するように前記案内枠材のガイド部に両側縁部を案内されて該枠状体内に移動可能に備えられる蓋体とを備えており、この取出し口構成体が前記郵便受け箱本体に取り外し可能に組み付けられて前記取出し口を前記蓋体で塞いだ状態で前記開口部を塞ぐようにしてあることから、
郵便物の取出し口を該郵便受け箱本体と別段に構成される取出し口構成体の組付けによって構成可能とし、規格化されて円滑に摺動される蓋体を備えた郵便受け箱を容易に製作、提供できる利点を有している。
また、備えつけ用いられている郵便受け箱から取出し口構成体を取り外して、この郵便受け箱内部の補修、清掃を容易に、しかも確実になすことができる利点を有している。
また、備えつけ用いられている郵便受け箱における取出し口部が破損あるいは汚れた際に、この郵便受け箱を備えつけたままの状態で取出し口構成体を新規の取出し口構成体に取り替えて郵便受け箱の補修ができる利点を有している。
【００８９】
また、前記構成の郵便受け箱において、前記郵便受け箱本体の開口部に備えられる前記取出し口構成体を該郵便受け箱本体に止め付ける止付け手段の少なくとも一部が前記受入室の側から該取出し口構成体を該郵便受け箱本体に止め付ける止付け手段とすることによって、
この郵便受け箱本体に組付けられる取出し口構成体の取り外しが、受入室側からの止付け手段による止め付けの解除を要し、前記取出し口を閉じた状態に前記蓋体を施錠状態とすることによって、前記郵便受け箱本体に備えられる前記取出し口構成体の取り外しを防止できる利点を有している。
【００９０】
また、前記構成の郵便受け箱において、前記取出し口構成体が、前記枠状体における一方の連結枠材の側に前記取出し口を構成するように前記案内枠材間に亙って塞ぎ板を備えていると共に、この取出し口を開閉する前記蓋体を該塞ぎ板の背面側に前記夫々の案内枠材のガイド部に両側縁部を案内させて送り込み移動可能に備えている構成とすることによって、
前記取出し口に備えられる蓋体を該蓋体の備えられている取出し口構成体に備えられた塞ぎ板の背面側に安定に送り込み移動できる利点を有している。
【００９１】
また、前記構成の郵便受け箱において、前記郵便受け箱本体における開口部が、該開口部における互いに向き合った一対の開口部縁に沿った向きに互いに向き合うようにガイドレールを備えていると共に、前記取出し口構成体の前記枠状体の外側に該ガイドレールに案内されて該開口部に該取出し口構成体を組付ける案内手段が備えられている構成とすることによって、
前記郵便受け箱本体に備えられているガイドレールに前記取出し口構成体の案内手段を案内させるようにして該取出し口構成体を前記郵便受け箱本体に容易に且つ確実に組付けることができる利点を有している。
【００９２】
また、前記構成の郵便受け箱において、前記ガイドレールが前記開口部の内方にあって該開口部の縦方向にある両側縁に沿った向きに備えられていると共に、前記郵便受け箱本体の底面側から前記取出し口構成体を該ガイドレールに組付け得るように構成することによって、
前記郵便受け箱本体に対して該郵便受け箱本体の下方側から前記取出し口構成体を該取出し口構成体の案内手段を前記開口部の内方にあるガイドレールに案内させるように組み入れて該開口部の内方位置に該取出し口構成体を容易に且つ確実に組付けることができる利点を有している。
【００９３】
また、前記構成の郵便受け箱において、前記郵便受け箱本体が郵便物の受入室を有する受け箱部と、先端側に投入口を有すると共に該受入室に連通する投入路を備えるように該受け箱部の上部側から前方に向けて一体に突設された投入路部とを備えており、この郵便受け箱本体が取付け対象構造体の一方の面側に前記投入路部の下方にある前記受け箱部の面を向き合わせ且つ前記投入路部を該投入路部の先端側が該取付け対象構造体の他方の面側に露出するように該取付け対象構造体に備えられた構成とすることによって、
ブロック塀や玄関口の壁などの取り付け対象構造体に前記郵便受け箱本体を備えつけたままの状態で、この郵便受け箱本体から取出し口構成体を取り外して、該郵便受け箱本体の内部を補修、清掃することができ、また、破損あるいは汚損された取出し口構成体を取り替えることができる利点を有している。
【図面の簡単な説明】
【図１】典型的な実施の形態に係る郵便受け箱の取付け状態を示す縦断面図
【図２】同要部の一部省略縦断面図
【図３】同蓋体を閉じた状態の要部縦断面図
【図４】同蓋体を開いた状態の要部縦断面図
【図５】同要部平断面図
【図６】同郵便受け箱の取付け状態を示す斜視図
【図７】同郵便受け箱から取出し口構成体を取り外した状態を示す斜視図
【図８】典型的な実施の形態に係る郵便受け箱本体の一部省略平断面図
【図９】同郵便受け箱本体の底面図
【図１０】同取出し口構成体を取り付けた状態の底面図
【図１１】同下座を取り付けた状態の底面図
【図１２】典型的な実施の形態に係る取出し口構成体の斜視図
【図１３】同一部を破断した正面図
【図１４】図１２のＫ−Ｋ矢視断面図
【図１５】図１２のＬ−Ｌ矢視断面図
【図１６】同下部側で水平の向きに切断して下方から上方を視て示した断面図
【図１７】典型的な実施の形態に係る上部連結枠材の平面図
【図１８】典型的な実施の形態に係る取出し口構成における弾持具の組み付け状態を示す要部部品の分離斜視図
【図１９】同案内枠材と蓋体の組み付け要部の平断面図
【図２０】典型的な下座の平面図
【図２１】同底面図
【図２２】同正面図
【図２３】同背面図
【図２４】図２０のＭ−Ｍ矢視断面図
【符号の説明】
Ａ  郵便受け箱
Ａ’  郵便受け箱本体
Ａ”  取出し口構成体
Ｗ  受入室
Ｖ  投入口
Ｘ  取出し口
Ｙ  開口部
Ｚ  投入路
１０  受け箱部
１１  投入路部
２５  ガイドレール
４０  枠状体
４１  案内枠材
４２  連結枠材
４３  塞ぎ板
４４  ガイド部
４５  蓋体
５９  案内手段
８９  止め付け手段
【図１】
0004668386.tif 000002
【図２】
0004668386.tif 000003
【図３】
0004668386.tif 000004
【図４】
0004668386.tif 000005
【図５】
0004668386.tif 000006
【図６】
0004668386.tif 000007
【図７】
0004668386.tif 000008
【図８】
0004668386.tif 000009
【図９】
0004668386.tif 000010
【図１０】
0004668386.tif 000011
【図１１】
0004668386.tif 000012
【図１２】
0004668386.tif 000013
【図１３】
0004668386.tif 000014
【図１４】
0004668386.tif 000015
【図１５】
0004668386.tif 000016
【図１６】
0004668386.tif 000017
【図１７】
0004668386.tif 000018
【図１８】
0004668386.tif 000019
【図１９】
0004668386.tif 000020
【図２０】
0004668386.tif 000021
【図２１】
0004668386.tif 000022
【図２２】
0004668386.tif 000023
【図２３】
0004668386.tif 000024
【図２４】
0004668386.tif 000025